(57)【要約】【課題】簡易な構成で、出射される照明光の変動を防止し、明るい照明光を出射する。【解決手段】周方向に等間隔に配列された複数の光源２と、該光源２からの照明光を導光する第１の導光部材３ｃと、これを軸線回りに回転させる駆動手段３ｄと、第１の導光部材３ｃの出射端３ａから出射された照明光を入射させて導光する、光源２に対して固定された第２の導光部材４とを備え、第１の導光部材３ｃの出射端３ａおよび第２の導光部材４の入射端４ａが軸線Ｃを重心とする略正多角形状の開口形状を有し、第２の導光部材４が、光源２に対して、出射端３ａからの照明光の光量が最小値となる第１の導光部材３ｃの角度位置と、出射端３ａの開口形状と入射端４ａの開口形状との重複面積が最小値となる第１の導光部材３ｃの角度位置とが一致しないような位相関係で配置されている照明装置１を提供する。【選択図】      図２
2008270066.tif 000002
【特許請求の範囲】
【請求項１】
軸線回りに周方向に等間隔に配列された複数の光源と、
該光源から出射された照明光を導光し、前記軸線に沿って出射させる出射端を有する第１の導光部材と、
該第１の導光部材を前記軸線回りに回転させる駆動手段と、
前記第１の導光部材の出射端に対向して配置される入射端を備え、前記出射端から出射された照明光を入射端から入射させて導光する前記光源に対して固定された第２の導光部材とを備え、
前記第１の導光部材の出射端および前記第２の導光部材の入射端が前記軸線を重心とする略正多角形状の開口形状を有し、
前記第２の導光部材は、その入射端の開口形状が、前記第１の導光部材の回転により周期的に変動する前記出射端からの照明光の光量が最小値となる第１の導光部材の角度位置と、周期的に変動する前記出射端の開口形状と前記入射端の開口形状との重複面積が最小値となる第１の導光部材の角度位置とが一致しないように、前記光源の配列との位相関係をなして配置されている照明装置。
【請求項２】
前記出射端から出射される照明光の光量の変動周波数および前記重複面積の変動周波数がともに偶数でありかつその一方が他方の偶数倍であり、
前記第２の導光部材は、その入射端の開口形状が、小さい方の変動周波数を有する照明光の光量または重複面積が最小となる前記第１の導光部材の回転角度位置と、大きい方の変動周波数を有する照明光の光量または重複面積が最大となる前記第１の導光部材の回転角度位置とが少なくとも１箇所において一致するように、前記光源の配列との位相関係をなして配置されている請求項１に記載の照明装置。
【請求項３】
前記出射端から出射される照明光の光量の変動周波数または前記重複面積の変動周波数の少なくとも一方が奇数でありかつその一方が他方の偶数倍以外の倍数であり、
前記第２の導光部材は、その入射端の開口形状が、小さい方の変動周波数を有する照明光の光量または重複面積が最大となる前記第１の導光部材の回転角度位置と、大きい方の変動周波数を有する照明光の光量または重複面積が最小となる前記第１の導光部材の回転角度位置とが少なくとも１箇所において一致するように、前記光源の配列との位相関係をなして配置されている請求項１に記載の照明装置。
【請求項４】
前記出射端および／または前記入射端の開口形状が遮光マスクにより形成されている請求項１から請求項３のいずれかに記載の照明装置。
【請求項５】
前記出射端の開口形状が遮光マスクにより形成され、該遮光マスクの第１の導光部材の内側に向かう面が反射面である請求項４に記載の照明装置。
【請求項６】
前記各光源が、少なくとも１つの発光ダイオードと、該発光ダイオードから発せられた照明光を半径方向内方に導く１以上のテーパロッドとを備え、
全ての光源の前記テーパロッドの出射端面が、前記軸線を中心線とする正多角筒を構成するように配置されている請求項１に記載の照明装置。
【請求項７】
前記出射端および前記入射端の開口形状は、前記第１の導光部材の回転によるその重複面積の変動が、前記出射端からの照明光の光量の変動を反転させた形態となるように形成されている請求項１に記載の照明装置。
【請求項８】
請求項１から請求項７のいずれかに記載の照明装置を備えるプロジェクタ。
【発明の詳細な説明】
【技術分野】
【０００１】
本発明は、照明装置およびプロジェクタに関するものである。
【背景技術】
【０００２】
従来、軸線回りに周方向に等間隔に配列された複数の光源と、前記軸線回りに回転させられて前記各光源からの照明を導光する回転光学系とを備える照明装置が知られている（例えば、特許文献１〜３参照。）。
特許文献１の照明装置は、光源と回転ミラーとの相対的な位置関係の変化に伴い、回転ミラーにより反射される光量が周期的に変動するのを抑制して一定の光量を得るために、光源を構成する発光素子の発光量を部分的に下げ、最低光量に合わせるよう制御している。
【０００３】
特許文献２の照明装置は、光源と、該光源からの照明光を取り込む平行ロッドとの相対的な位置関係の変化に伴い、平行ロッドに取り込まれる光量が周期的に変動するのを抑制するために、２本の平行ロッドを回転軸に対して回転対称な位置に配置し、かつ光源の数を奇数にすることで、２つの平行ロッドに取り込まれる光量の変動を半周期ずらすこととしている。
【０００４】
また、特許文献３の照明装置は、光源に対して回転する第１の導光部材の出射端から、光源に対して固定された第２の導光部材の入射端に対し、照明光を漏れなく入射させるために、出射端の外接円の直径を入射端の内接円の直径以下に設定している。
【０００５】
【特許文献１】特開２００４−７１３９３号公報
【特許文献２】特開２００４−１９９０２４号公報
【特許文献３】特開２００５−７０４４３号公報
【発明の開示】
【発明が解決しようとする課題】
【０００６】
しかしながら、特許文献１に開示されている照明装置は、光源の発光量を制御するものであるため、光源を複雑に制御する必要がある。また、特許文献２に開示されている照明装置は、２つ以上の平行ロッドに入射する総光量の変動を防止する工夫がなされているが、平行ロッドを２つ以上備える必要があり、構成が複雑になる。さらに、特許文献３に開示されている照明装置は、回転する第１の導光部材から固定された第２の導光部材に照明光を漏れなく入射させることができるので、この位置における照明光の変動量は少ないが、光源から第１の導光部材への照明光の入射光量の変動は抑制されておらず、最終的に第２の導光部材から出射させる照明光が変動する不都合がある。
【０００７】
本発明は、上述した事情に鑑みてなされたものであって、簡易な構成で、最終的に出射される照明光の変動を防止し、かつ、少ない消費電力で明るい照明光を出射することができる照明装置およびプロジェクタを提供することを目的としている。
【課題を解決するための手段】
【０００８】
上記目的を達成するために、本発明は以下の手段を提供する。
本発明は、軸線回りに周方向に等間隔に配列された複数の光源と、該光源から出射された照明光を導光し、前記軸線に沿って出射させる出射端を有する第１の導光部材と、該第１の導光部材を前記軸線回りに回転させる駆動手段と、前記第１の導光部材の出射端に対向して配置される入射端を備え、前記出射端から出射された照明光を入射端から入射させて導光する前記光源に対して固定された第２の導光部材とを備え、前記第１の導光部材の出射端および前記第２の導光部材の入射端が前記軸線を重心とする略正多角形状の開口形状を有し、前記第２の導光部材は、その入射端の開口形状が、前記第１の導光部材の回転により周期的に変動する前記出射端からの照明光の光量が最小値となる第１の導光部材の角度位置と、周期的に変動する前記出射端の開口形状と前記入射端の開口形状との重複面積が最小値となる第１の導光部材の角度位置とが一致しないように、前記光源の配列との位相関係をなして配置されている照明装置を提供する。
【０００９】
本発明によれば、光源から出射された照明光が、第１の導光部材に入射し、該第１の導光部材の出射端から第２の導光部材の入射端に入射されて導光された後、照射される。駆動手段の作動により、第１の導光部材が軸線回りに回転させられると、該軸線回りに周方向に等間隔に配置されている複数の光源からの照明光が、該光源の対向位置に回転してきた第１の導光部材に順次入射される。
【００１０】
したがって、第１の導光部材に入射して導光される照明光の光量は、第１の導光部材の回転によって周期的に変動する。一方、相互に対向して配置されている第１の導光部材の出射端および第２の導光部材の入射端は、略正多角形状の開口形状を有しているので、第１の導光部材の回転によって、その重複面積が周期的に変動する。
【００１１】
この場合において、第２の導光部材の入射端の開口形状が、出射端からの照明光の光量が最小値となる第１の導光部材の角度位置と、重複面積が最小値となる第１の導光部材の角度位置とが一致しないように、光源の配列との位相関係をなして配置されているので、最終的に第２の導光部材から出射される照明光の変動における最小光量を向上しつつ、その変動を抑えることができる。
【００１２】
上記発明においては、前記出射端から出射される照明光の光量の変動周波数および前記重複面積の変動周波数がともに偶数でありかつその一方が他方の偶数倍であり、前記第２の導光部材は、その入射端の開口形状が、小さい方の変動周波数を有する照明光の光量または重複面積が最小となる前記第１の導光部材の回転角度位置と、大きい方の変動周波数を有する照明光の光量または重複面積が最大となる前記第１の導光部材の回転角度位置とが少なくとも１箇所において一致するように、前記光源の配列との位相関係をなして配置されていることとしてもよい。
【００１３】
このようにすることで、出射端からの照明光の光量が最小値となる第１の導光部材の角度位置と、重複面積が最小値となる第１の導光部材の角度位置とが一致しないようにすることができる。その結果、最終的に第２の導光部材から出射される照明光の変動における最小光量を向上しつつ、その変動を抑えることができる。
【００１４】
また、上記発明においては、前記出射端から出射される照明光の光量の変動周波数または前記重複面積の変動周波数の少なくとも一方が奇数でありかつその一方が他方の偶数倍以外の倍数であり、前記第２の導光部材は、その入射端の開口形状が、小さい方の変動周波数を有する照明光の光量または重複面積が最大となる前記第１の導光部材の回転角度位置と、大きい方の変動周波数を有する照明光の光量または重複面積が最小となる前記第１の導光部材の回転角度位置とが少なくとも１箇所において一致するように、前記光源の配列との位相関係をなして配置されていることとしてもよい。
【００１５】
このようにすることで、出射端からの照明光の光量が最小値となる第１の導光部材の角度位置と、重複面積が最小値となる第１の導光部材の角度位置とが一致しないようにすることができる。その結果、最終的に第２の導光部材から出射される照明光の変動における最小光量を向上しつつ、その変動を抑えることができる。
【００１６】
また、上記発明においては、前記出射端および／または前記入射端の開口形状が遮光マスクにより形成されていることとしてもよい。
このようにすることで、出射端からの照明光の光量が最小値となる第１の導光部材の角度位置と、重複面積が最小値となる第１の導光部材の角度位置とが一致しないような入射端の開口形状と光源の配列との位相関係を簡易に達成することができる。その結果、最終的に第２の導光部材から出射される照明光の変動における最小光量を向上しつつ、その変動を抑えることができる。
【００１７】
また、上記発明においては、前記出射端の開口形状が遮光マスクにより形成され、該遮光マスクの第１の導光部材の内側に向かう面が反射面であることとしてもよい。
このようにすることで、第１の導光部材内を導光されて、遮光マスクに到達した照明光が反射面によって再度第１の導光部材内に戻されて、光源における反射を経た後に、遮光マスクにより形成された開口から第２の導光部材に向けてその一部が出射される。その結果、第１の導光部材から第２の導光部材に入射せずに漏洩しようとする照明光を有効利用して、照明光の明るさを向上することができる。
【００１８】
また、上記発明においては、前記各光源が、少なくとも１つの発光ダイオードと、該発光ダイオードから発せられた照明光を半径方向内方に導く１以上のテーパロッドとを備え、全ての光源の前記テーパロッドの出射端面が、前記軸線を中心線とする正多角筒を構成するように配置されていることとしてもよい。
このようにすることで、テーパロッドにより発光ダイオードからの照明光の指向性を高めて第１の導光部材に入射させることができる。
【００１９】
また、上記発明においては、前記出射端および前記入射端の開口形状は、前記第１の導光部材の回転によるその重複面積の変動が、前記出射端からの照明光の光量の変動を反転させた形態となるように形成されていることとしてもよい。
このようにすることで、第１の導光部材が回転することにより、光源から第１の導光部材に入射される照明光の周期的な変動が、第１の導光部材と第２の導光部材との間の重複面積の周期的な変動によって相殺され、均一な光量の照明光を照射することができる。
【００２０】
また、本発明は、上記いずれかの照明装置を備えるプロジェクタを提供する。
本発明によれば、照明装置により光量の変動が低減され、かつ、光量が増大させられるので、ちらつきが少なく、明るい画像を投影することができる。
【発明の効果】
【００２１】
本発明によれば、簡易な構成で、最終的に出射される照明光の変動を防止し、かつ、少ない消費電力で明るい照明光を出射することができるという効果を奏する。
【発明を実施するための最良の形態】
【００２２】
本発明の一実施形態に係る照明装置について図１〜図６を参照して以下に説明する。
本実施形態に係る照明装置１は、図１および図２に示されるように、軸線Ｃ回りに周方向に等間隔に配置される８個の光源２と、該光源２からの照明光を導光する回転光学系（第１の導光部材）３と、該回転光学系３の出射端３ａから出射された照明光を入射端４ａから入射させて軸線方向に導光する固定テーパロッド（第２の導光部材）４とを備えている。
【００２３】
各光源２は、発光ダイオード２ａと、該発光ダイオード２ａから出射された照明光を導光するテーパロッド２ｂとを備えている。テーパロッド２ｂは、その光軸を前記軸線Ｃに直交する半径方向内方に向けて配置され、発光ダイオード２ａから出射された照明光をテーパロッド２ｂによって導光する間にその指向性を高めながら回転光学系３に入射させるようになっている。
【００２４】
回転光学系３は、テーパロッド２ｂから出射された照明光を入射させる平行ロッド３ｂと、該平行ロッド３ｂにより半径方向に導光された照明光を軸線Ｃに沿う方向に略９０°偏向して出射端３ａから出射させる直角プリズム３ｃと、これらを一体的に回転させるモータ３ｄとを備えている。モータ３ｄの駆動により、半径方向外方に向かう平行ロッド３ｂの入射面３ｅを周方向に移動させていき、入射面３ｅに対向する光源２の点灯を順次切り替えていくようになっている。
【００２５】
モータ３ｄの作動により軸線Ｃ回りに平行ロッド３ｂおよび直角プリズム３ｃを回転させることによって、平行ロッド３ｂの入射面３ｅは、図３に示されるように、一度に２つの光源２に対向させられるようになる。そこで、図４に示されるように、８つの発光ダイオード２ａの点灯タイミングを制御して、隣接する２つの発光ダイオード２ａを常に同時に点灯させ、回転に同期させて、点灯する光源２を順次切り替えて行くようになっている。
【００２６】
図４は、回転光学系３の回転角θに対する８つの光源２の動作状態を示すタイミングチャートである。
この場合において、点灯している２つの光源２と平行ロッド３ｂの入射面３ｅとの相対角度は逐次変化していくので、平行ロッド３ｂの入射面３ｅに入射する照明光の光量Ａは、図５（ａ）に示されるように、回転光学系３の１回転の間に８回変動するようになっている。
【００２７】
直角プリズム３ｃの出射端３ａの形状および固定テーパロッド４の入射端４ａの開口形状は、図３に示されるように、同一の大きさの正方形に形成されている。直角プリズム３ｃの出射端３ａから出射される照明光は、直角プリズム３ｃの出射端３ａの正方形と、固定テーパロッド４の入射端４ａの正方形とが重複する領域（固定テーパロッド４の入射端４ａの正方形から図３の斜線部を除く領域）のみを介して固定テーパロッド４に入射する。
【００２８】
したがって、固定テーパロッド４から出射される照明光の光量は、直角プリズム３ｃの出射端３ａの正方形と固定テーパロッド４の入射端４ａの正方形との重複面積Ｂの変化に応じて変動するようになっている。すなわち、重複面積Ｂは、図５（ｂ）に示されるように、回転光学系３の１回転の間に４回変動するようになっている。
【００２９】
この場合において、本実施形態に係る照明装置１においては、固定テーパロッド４の入射端４ａは、平行ロッド３ｂの入射面３ｅに入射する照明光の光量Ａの変動が最小値となる回転光学系３の回転角θと、重複面積Ｂの変動が最小値となる回転光学系３の回転角θとが一致しないように、光源２の配列との位相関係をなして配置されている。
すなわち、図５（ａ）および（ｂ）の変動波形において、回転光学系３の１回転の間に、同一の回転角θにおいて同時に最小値をとらないようになっている。
【００３０】
このように構成された本実施形態に係る照明装置１の作用について、以下に説明する。
本実施形態に係る照明装置１によれば、光源２を構成する発光ダイオード２ａから発せられた照明光は、テーパロッド２ｂ内を導光されることにより、半径方向内方に向かう略平行光となるように指向される。発光ダイオード２ａが点灯されるときには、当該点灯された発光ダイオード２ａを含む光源２のテーパロッド２ｂに回転光学系３の平行ロッド３ｂの入射面３ｅが対向させられているので、テーパロッド２ｂから出射された照明光は、平行ロッド３ｂに入射させられる。
【００３１】
平行ロッド３ｂに入射した照明光は、平行ロッド３ｂを導光された後、直角プリズム３ｃによってその方向を９０°偏向され、軸線Ｃに沿う方向に指向させられて、その出射端３ａから出射される。そして、出射端３ａから出射された照明光は、該出射端３ａに隙間をあけて対向配置されている固定テーパロッド４の入射端４ａから固定テーパロッド４内に入射させられる。照明光は、固定テーパロッド４内を導光させられる間に、略平行で均一の強度分布を有する照明光となり、固定テーパロッド４の出射面４ｂから出射される。
【００３２】
軸線Ｃ回りに周方向に等間隔に配列された複数の光源２に対して平行ロッド３ｂの入射面３ｅが順次対向させられて光源２からの照明光を入射させるので、各光源２の発光ダイオード２ａは、平行ロッド３ｂが対向させられている瞬間にのみ点灯していればよく、定格電流よりも大きな電流を入力することができる。そのため、瞬間的に高輝度の照明光を発生させることができる。したがって、本実施形態に係る照明装置１は、同一の発光ダイオード２ａから連続的に照明光を出射させる場合と比較して、十分に明るい照明光を出射することができる。
【００３３】
この場合において、本実施形態に係る照明装置１によれば、平行ロッド３ｂ内に入射される照明光の光量Ａは、図５（ａ）に示されるように、１回転に８回の周期で変動し、直角プリズム３ｃの出射端３ａと固定テーパロッド４の入射端４ａとの重複面積Ｂは、図５（ｂ）に示されるように、１回転に４回の周期で変動するので、固定テーパロッド４の出射面４ｂから出射される照明光Ｄは、図６に示されるように、これらを合成したパターンで変動する。
【００３４】
本実施形態においては、図６の鎖線で示されるとおり、入射光量Ａと重複面積Ｂの変動の最小値が重ならないように固定テーパロッド４を配置しているので、最小値が重なることによる局所的な光量の低下が防止され、最終的に固定テーパロッド４の出射面４ｂから出射される照明光の光量の変動幅を抑えることができる。特に、本実施形態においては、重複面積Ｂが最小値となるときに、平行ロッド３ｂへの入射光量Ａが最大値となるように設定し、平行ロッド３ｂへの入射光量Ａが最小値となるときに、重複面積Ｂが比較的大きくなるように設定しているので、変動幅を最小限に抑え、かつ、最小値を向上して明るい照明を行うことができるという利点がある。
【００３５】
なお、本実施形態においては、８個の光源２を周方向に等間隔に配置した場合を例示したが、これに限定されるものではなく、任意の数の光源２を配置した場合において適用することができる。
すなわち、平行ロッド３ｂ内に入射される照明光の光量Ａの変動周波数ｆ１と、直角プリズム３ｃの出射端３ａと固定テーパロッド４の入射端４ａとの重複面積Ｂの変動周波数ｆ２との関係に応じて以下のように適用することができる。
【００３６】
（１）周波数ｆ１，ｆ２がともに偶数で、かつ、ｆ１＝２ｎ×ｆ２またはｆ２＝２ｎ×ｆ１（ｎは自然数）の関係にある場合には、上記と同様にして、いずれか小さい方の周波数ｆ１，ｆ２で変動する入射光量Ａまたは重複面積Ｂが最小となる回転光学系３の回転角θと、大きい方の周波数ｆ１，ｆ２で変動する入射光量Ａまたは重複面積Ｂが最大となる回転光学系３の回転角θの１つとが一致するように固定テーパロッド４を配置する。
【００３７】
（２）上記以外の場合には、いずれか小さい方の周波数ｆ１，ｆ２で変動する入射光量Ａまたは重複面積Ｂが最大となる回転光学系３の回転角θと、大きい方の周波数ｆ１，ｆ２で変動する入射光量Ａまたは重複面積Ｂが最小となる回転光学系３の回転角θの１つとが一致するように固定テーパロッド４を配置する。
【００３８】
例えば、図７に示す例では、周波数ｆ１＝６、ｆ２＝４なので、上記（２）の場合を適用し、小さい周波数ｆ２で変動する重複面積Ｂが最大となる回転角θと、大きい周波数ｆ１で変動する入射光量Ａが最小となる回転角θの１つとを鎖線で示すように一致させる。
また、図８に示す例では、周波数ｆ１＝７、ｆ２＝４なので、上記（２）の場合を適用し、小さい周波数ｆ２で変動する重複面積Ｂが最大となる回転角θと、大きい周波数ｆ１で変動する入射光量Ａが最小となる回転角θの１つとを鎖線で示すように一致させる。
【００３９】
さらに、図９に示す例では、周波数ｆ１＝９、ｆ２＝５なので、上記（２）の場合を適用し、小さい周波数ｆ２で変動する重複面積Ｂが最大となる回転角θと、大きい周波数ｆ１で変動する入射光量Ａが最小となる回転角θの１つとを鎖線で示すように一致させる。
また、図１０〜図１２に示されるように、直角プリズム３ｃの出射端３ａにテーパロッド５を固定し、該テーパロッド５の出射端５ａを回転光学系３の出射端としてもよい。図１０に示す例は、周波数ｆ１＝ｆ２＝８のように同一の変動周波数となる場合であり、この場合には、いずれか一方が最小となる回転角θで他方が最大となるように設定すればよい。
【００４０】
このようにすることにより、平行ロッド３ｂへの入射光量Ａおよびテーパロッド５の出射端５ａと固定テーパロッド４の入射端４ａとの重複面積Ｂの変動の最小値どうしが同時に同じ回転角θで出現することがなく、固定テーパロッド４の出射面４ｂから出射される最終的な照明光の光量Ｄの変動幅の縮小を図り、かつ、光量Ｄの最小値を増大させて明るい照明を行うことができる。
【００４１】
また、本実施形態においては、直角プリズム３ｃの出射端３ａ（あるいはテーパロッド５の出射端５ａ）の開口形状および固定テーパロッド４の入射端４ａの開口形状を、これら直角プリズム３ｃおよび固定テーパロッド４自体の形状により、正方形（図１〜図３）（あるいは正８角形（図１０、図１１））等に設定した。これに代えて、図１３に示されるように、直角プリズム３ｃの出射端３ａおよび固定テーパロッド４の入射端４ａに遮光マスク６を形成することにより、開口形状を設定してもよい。図１３の場合には、開口形状が正８角形に設定されている。このようにすることで、直角プリズム３ｃおよび固定テーパロッド４を単純な形状として製造を容易にすることができる。
【００４２】
また、この場合には、遮光マスク６が形成された領域を介しての直角プリズム３ｃの出射端３ａから固定テーパロッド４の入射端４ａへの照明光の入射が遮られる。したがって、図１４に示されるように、直角プリズム３ｃの出射端３ａの遮光マスク６をミラーマスク（直角プリズム３ｃ側の面を反射面）とすることにより、遮光マスク６で反射された照明光が光源２に戻り、光源２で一部反射されて再び回転光学系３に入射するので、照明光を無駄なく利用することができるという利点がある。
【００４３】
また、直角プリズム３ｃの出射端３ａおよび固定テーパロッド４の入射端４ａの開口形状を、直線により形成した正多角形ではなく、図１５に示されるように、正多角形の各辺を若干湾曲させた略正多角形状に形成することにしてもよい。図１５に示される例では、各辺が内側に凹まされた形状の遮光マスク６を配置している。
【００４４】
このようにすることで、例えば、図１６に示されるように、直角プリズム３ｃの出射端３ａと固定テーパロッド４の入射端４ａとの重複面積Ｂの変動パターンを平行ロッド３ｂへの入射光量Ａの変動パターンに対して逆転させた形態とすることができる。
すなわち、平行ロッド３ｂへの入射光量Ａの変動と、直角プリズム３ｃの出射端３ａと固定テーパロッド４の入射端４ａとの重複面積Ｂの変動とを合成したときに、図１６に実線で示されるように、両者の変動を相互にうち消し合って、光量変動のない照明光Ｄを固定テーパロッド４の出射面４ｂから出射させることができる。
【００４５】
また、本実施形態においては、単一の発光ダイオード２ａと単一のテーパロッド２ｂとからなる光源２を８個用意したが、これに代えて、図１７に示されるように、２以上の発光ダイオード２ａと２以上のテーパロッド２ｂとからなる光源２を周方向に等間隔に配置することとしてもよい。
また、発光ダイオード２ａからの照明光をテーパロッド２ｂにより略平行光にする光源２を例示したが、これに代えて、図１８に示されるように、凹面鏡状のリフレクタ２ｃにより略平行光にする光源２を採用してもよい。
【００４６】
また、図１９に示されるように、テーパロッド２ｂあるいはリフレクタ２ｃを有しない発光ダイオード２ａのパッケージからなる光源２を周方向に等間隔に配置してもよい。
さらに、図２０および図２１に示されるように、直角プリズム３ｃの出射端３ａにテーパロッド５を固定し、固定ロッド４として平行ロッドを採用してもよい。
【００４７】
また、図２２に本実施形態に係るプロジェクタ１０を示す。このプロジェクタ１０は、上記照明装置１と、リレーレンズ１１と、変調デバイス１２と、投影レンズ１３とを備えている。照明装置１から出射された照明光が、リレーレンズ１１によって変調デバイス１２に集光され、変調デバイス１２によって画像情報を重畳された後、投影レンズ１３によってスクリーン１４に投影されるようになっている。変調デバイス１２としては、例えば、ＤＭＤ（ディジタルマイクロミラーアレイデバイス）あるいは液晶素子を採用することができる。
【００４８】
本実施形態に係るプロジェクタ１０によれば、上記照明装置１を適用することにより、照明装置１が、変動が少なく光量の大きい照明光を提供するので、ちらつきが少なく、明るい画像をスクリーンに投影することができるという利点がある。
【図面の簡単な説明】
【００４９】
【図１】本発明の一実施形態に係る照明装置を示す平面図である。
【図２】図１の照明装置の正面図である。
【図３】図１の照明装置における光源と回転光学系との関係を示す平面図である。
【図４】図１の照明装置において点灯制御される光源のタイミングチャートである。
【図５】図１の照明装置において（ａ）回転光学系に入射する照明光の光量の変動、および（ｂ）回転光学系の出射端の開口形状と固定テーパロッドの入射端の開口形状との重複面積の変動を示すグラフである。
【図６】図５の変動を合成した最終的に固定テーパロッドから出射される照明光の変動を示すグラフである。
【図７】図１の照明装置の第１の変形例において固定テーパロッドから出射される照明光の変動を示すグラフである。
【図８】図１の照明装置の第２の変形例において固定テーパロッドから出射される照明光の変動を示すグラフである。
【図９】図１の照明装置の第３の変形例において固定テーパロッドから出射される照明光の変動を示すグラフである。
【図１０】図１の照明装置の第４の変形例を示す斜視図である。
【図１１】図１０の照明装置の正面図である。
【図１２】図１０の照明装置において最終的に固定テーパロッドから出射される照明光の変動を示すグラフである。
【図１３】図１の照明装置の第５の変形例であって、回転光学系の出射端および固定テーパロッドの入射端に遮光マスクを配置した例を示す斜視図である。
【図１４】図１３の照明装置の正面図である。
【図１５】図１の照明装置の第６の変形例であって、回転光学系の出射端および固定テーパロッドの入射端の開口形状の一例を示す図である。
【図１６】図１５の開口形状により達成された最終的に固定テーパロッドから出射される変動のない照明光を示すグラフである。
【図１７】図１の照明装置の第７の変形例を示す平面図である。
【図１８】図１の照明装置の第８の変形例を示す平面図である。
【図１９】図１の照明装置の第９の変形例を示す平面図である。
【図２０】図１の照明装置の第１０の変形例を示す平面図である。
【図２１】図２０の照明装置の正面図である。
【図２２】本実施形態に係るプロジェクタの一例を模式的に示す図である。
【符号の説明】
【００５０】
Ａ  入射光量
Ｂ  重複面積
Ｃ  軸線
ｆ１，ｆ２  変動周波数
θ  回転角（角度位置）
１  照明装置
２  光源
２ａ  発光ダイオード
２ｂ  テーパロッド
３ａ，５ａ  出射端
３ｃ  直角プリズム（第１の導光部材）
３ｄ  モータ（駆動手段）
４  固定テーパロッド（第２の導光部材）
４ａ  入射端
５  テーパロッド（第１の導光部材）
６  遮光マスク
１０  プロジェクタ
【図１】
2008270066.tif 000003
【図２】
2008270066.tif 000004
【図３】
2008270066.tif 000005
【図４】
2008270066.tif 000006
【図５】
2008270066.tif 000007
【図６】
2008270066.tif 000008
【図７】
2008270066.tif 000009
【図８】
2008270066.tif 000010
【図９】
2008270066.tif 000011
【図１０】
2008270066.tif 000012
【図１１】
2008270066.tif 000013
【図１２】
2008270066.tif 000014
【図１３】
2008270066.tif 000015
【図１４】
2008270066.tif 000016
【図１５】
2008270066.tif 000017
【図１６】
2008270066.tif 000018
【図１７】
2008270066.tif 000019
【図１８】
2008270066.tif 000020
【図１９】
2008270066.tif 000021
【図２０】
2008270066.tif 000022
【図２１】
2008270066.tif 000023
【図２２】
2008270066.tif 000024